(57)【特許請求の範囲】
【請求項１】
管形ランプに接続する接続機構であって、
内表面から突出したフランジを含み、前記フランジは波形構造を形成する中空の雌部材、および
本体および前記本体に接続された複数のピンを含む雄部材を含み、
前記各々のピンは、湾曲斜面および前記本体と前記湾曲斜面とを接続する湾曲面を含み、
前記雄部材は、前記雌部材における第１の位置にある時、前記雌部材に対して中心軸の周りを回転することができ、前記湾曲斜面が前記波形構造上をスライドでき、且つ前記雄部材は、前記雌部材における第２の位置にある時、前記湾曲面が波形構造と係合され、前記雄部材と雌部材間の回転を制限する接続機構。
【請求項２】
前記フランジは、ストッパーを更に含み、前記ピンは、前記雄部材が前記雌部材に対して制限角度にまで回転した時、前記ストッパーに接触し、前記雄部材を制限角度に制限する請求項１に記載の接続機構。
【請求項３】
前記雄部材は、前記雄部材の外面から突出されたストリップを更に含み、前記雌部材は、第１のリブと第２のリブを更に含み、前記雄部材が前記雌部材の第１の位置にある時、前記ストリップは、前記第１のリブと第２のリブとの間で受け入れられる請求項１に記載の接続機構。
【請求項４】
前記第１のリブと第２のリブは互いに並行で、前記第１のリブの高さは前記第２のリブの高さを超える請求項３に記載の接続機構。
【請求項５】
前記ストリップは、前記雄部材が前記第２の位置にある時、前記第２のリブと係合される請求項３に記載の接続機構。
【請求項６】
前記波形構造は、ジグザグ状に配置された複数の弧状の突出部および陥凹部を含み、前記ピンの湾曲面は、前記雄部材が前記第２の位置にある時、前記陥凹部と係合され、前記雄部材と雌部材間の回転を制限する請求項１に記載の接続機構。
【請求項７】
前記雄部材は、電極を更に含み、前記電極および前記ピンは、前記本体の両側に設置される請求項１に記載の接続機構。
【発明の詳細な説明】
【技術分野】
【０００１】
本発明は、接続機構に関し、特に、ランプモジュールに用いる取り外し可能な接続機構に関するものである。
【背景技術】
【０００２】
従来の蛍光灯、タングステン電球、ナトリウム灯、および省エネ電球の発光は、全方向性である。よって、従来のランプは、その発光角度を調整する必要がない。しかしながら、例えば特許文献１に示すように、ＬＥＤランプは普及してきているが、その視野角は制限される。ＬＥＤランプの照明および視野角の調整を向上させることが重要な課題となっている。
【先行技術文献】
【特許文献】
【０００３】
【特許文献１】特開２０１０−１４０８４３号公報
【発明の概要】
【発明が解決しようとする課題】
【０００４】
本発明は、適当な発光角度に調整するランプモジュールおよびランプモジュールの良好な照明のための接続機構を提供する。
【課題を解決するための手段】
【０００５】
本発明は、雄部材および雌部材を含む管形ランプに接続する接続機構を提供する。雌部材は、その内表面上に波形構造を有する。雄部材は、本体および複数のピンを有し、各ピンは、湾曲斜面（ｃｕｒｖｅｄ  ｓｌｏｐｅ）および本体と湾曲斜面とを接続する湾曲面を有する。雄部材は、第１の位置にある時、雌部材に対して回転することができ、湾曲斜面は、波形構造上をスライドできる。湾曲面は、雄部材が第２の位置に移動した時、波形構造と係合され、雄部材と雌部材間の回転を制限する。
【発明の効果】
【０００６】
本発明では、適当な発光角度に調整するランプモジュールおよびランプモジュールのより良好な照明のための接続機構を提供できる。接続機構は、組み立てが易しく、低コスト、且つ各種の管形ランプに用いることができるため、便利性を高めることができる。
【図面の簡単な説明】
【０００７】
【図１】本発明の実施形態に基づくランプモジュールの斜視図である。
【図２Ａ】本発明の実施形態に基づく雄部材の斜視図である。
【図２Ｂ】本発明の実施形態に基づく雄部材の斜視図である。
【図３Ａ】本発明の実施形態に基づく雌部材の斜視図である。
【図３Ｂ】本発明の実施形態に基づく雌部材の斜視図である。
【図４】本発明の実施形態に基づいて、雄部材および雌部材が互いに嵌合される前の透視図である。
【図５】本発明の実施形態に基づいて、雌部材が雄部材に差し込まれた第１の位置にある斜視図である。
【図６】本発明の実施形態に基づいて、雌部材が雄部材に差し込まれた第２の位置にある斜視図である。
【図７】本発明の別な実施形態に基づく雌部材の斜視図である。
【発明を実施するための形態】
【０００８】
図１を参照すると、ランプモジュールの実施形態は、まず、管形ランプ３０、管形ランプ３０の両側に設置された２つの接続機構Ｒを含む。接続機構Ｒのそれぞれは雄部材１０および雌部材２０を含む。電極Ｐは、雄部材１０に設置され、ランプソケット（図示されていない）に電気的に接続される。管形ランプ３０に取り付けられた雌部材２０は、雄部材１０に対して中心軸Ｃの周りを回転することができる。直管形ＬＥＤランプまたは他のタイプの直管形蛍光灯などの管形ランプ３０は、図１に示された矢印のように、雌部材２０とともに中心軸Ｃの周りを回転して、その発光角度を調整することができる。
【０００９】
図１を参照すると、接続機構Ｒの両外側の電極Ｐがランプソケットに差し込まれた時、雌部材２０は、雄部材１０に対して回転することができ、良好な照明のために管形ランプ３０の発光角度を調整することができる。いくつかの実施形態では、接続機構Ｒは、管形ランプ３０の片側だけに設置され、接続機構Ｒの電極Ｐは、ランプソケットによって電源に接続され、管形ランプ３０を駆動することができる。しかしながら、電極Ｐは、雄部材１０に設置されなくてもよい。
【００１０】
図２Ａおよび２Ｂを参照すると、雄部材１０は、まず、円筒状の本体１００、複数のピン１１、およびストリップ１２を含む。ピン１１および電極Ｐは、本体１００の第１側Ｓ１および第２側Ｓ２にそれぞれ配置され、ストリップ１２は、本体１００の外面から突出する。図２Ａおよび２Ｂに示されるように、各々のピン１１は、湾曲斜面（ｃｕｒｖｅｄ  ｓｌｏｐｅ）１１０および本体１００と湾曲斜面１１０とを接続する湾曲面１１１を含む。図２Ｂに示されるように、湾曲面１１１は、中心軸Ｃに沿って実質的に延伸され、湾曲斜面１１０は、右方向に細くテーパー状になり、湾曲斜面１１０と中心軸Ｃとの間に鋭角θが形成される。
【００１１】
図３Ａおよび３Ｂを参照すると、雌部材２０は、中空の円筒状構造を形成する。第１のリブ２３および第２のリブ２４は、雌部材２０の内表面上に形成され、第１のリブ２３および第２のリブ２４は、互いに平行で、陥凹（ｒｅｃｅｓｓ）２５は、その間に形成される。少なくとも１つのフランジ２１は、雌部材２０の内表面上に設置され、波形構造は、フランジ２１上に形成される。その中の波形構造は、図３Ｂに示されるように、ジグザグ状に配置された複数の弧状の突出部２１１および陥凹部２１２からなる。
【００１２】
この実施形態では、ストッパー２２は、雌部材２０のフランジ２１の底部に形成され、ストッパー２２は、波形構造から突出される。図３Ｂに示す矢印のように、雄部材１０が雌部材２０に対して制限角度にまで回転した時、雄部材１０のピン１１は、ストッパー２２に接触し、雄部材１０が特定角度の範囲内で回転するように制限する。
【００１３】
図４を参照すると、組み立て中、雄部材１０の第１側Ｓ１は、雌部材２０の方向を向き、雄部材１０は、図４に示す矢印のような方向に沿って雌部材２０に挿入されることができる。図５に示されるように、雄部材１０が雌部材２０に差し込まれた後、外力が加えられ、雄部材１０のストリップ１２が第１のリブ２３を乗り越えて、第１のリブ２３と第２のリブ２４との間の陥凹２５にスライドするように押し込まれる。よって、雄部材１０は、第１の位置にあり、雌部材１０の前端にあるピン１１は、フランジ２１の陥凹部２１２内に対応して受け入れられる。
【００１４】
図５の状態では、ピン１１の湾曲斜面１１０は、陥凹部２１２に緊密に嵌合されていない。即ち、湾曲斜面１１０は、陥凹部２１２に完全に納められておらず、雄部材１０は、雌部材２０に対して中央軸Ｃの周りを回転することができる。ここでは、湾曲斜面１１０が、波形構造の表面をスライドできるため、雄部材１０を好適な角度に調整する。図３Ｂに示されるように、雄部材１０が制限角度に連続的に回転した時、ピン１１は、フランジ２１のストッパー２２に接触し、雄部材１０と雌部材２０間の回転を制限することができる。
【００１５】
図６を参照すると、雄部材１０は、雌部材２０に対して理想的な角度に回転した時、図６に示された矢印Ａ１のように、中心軸Ｃに沿って雄部材１０を雌部材２０に更に押し入れるように、外力が加えられる。雄部材１０のストリップ１２は、第２のリブ２４を乗り越え、雄部材１０が第２の位置に到達し、ストリップ１２と第２のリブ２４は互いに係合される。
【００１６】
雌部材１０の前端にあるピン１１が連続的に右に移動するにつれて、ピン１１の湾曲面１１１は、フランジ２１の陥凹部２１２とそれぞれ係合することができる。この状態では、湾曲面１１１は、陥凹部２１２と接触して陥凹部２１２に完全に納められるため、特定の角度で雄部材１０と雌部材２０間の回転を制限する。
【００１７】
図６に示された矢印Ａ２のように、雄部材１０と雌部材２０間の角度を調整するために、逆の外力が加えられて、雌部材２０から雄部材１０がやや離され、ストリップ１２が第１のリブ２３と第２のリブ２４との間の陥凹２５に戻される。よって、雄部材１０の前端にあるピン１１は、フランジ２１の陥凹部２１２から緩められ、雄部材１０と雌部材２０は、適当な角度に調整するように互いに回転することができる。
【００１８】
ストリップ１２は、雄部材１０が矢印Ａ２に示された方向に沿って連続的に引っ張られた時、左に更に移動されて第１のリブ２３を乗り越えることができる。よって、雄部材１０は、雌部材２０から完全に離され、その中の第１のリブ２３の高さは、第２のリブ２４の高さを超える。
【００１９】
図７を参照すると、波形構造は、図３Ａおよび図３Ｂに示されるようなストッパー２２なしでフランジ２１に形成されることができ、雄部材１０および雌部材２０が３６０度回転することができる。
【００２０】
本発明は、適当な発光角度に調整するランプモジュールおよびランプモジュールの良好な照明のための接続機構を提供する。接続機構は、組み立てが易しく、低コスト、且つ各種の管形ランプに用いることができるため、便利性を高める。
【００２１】
この発明は、実施例の方法及び望ましい実施の形態によって記述されているが、本発明は、これらを限定するものではないことは理解される。逆に、種々の変更及び同様の配置をカバーするものである（当業者には明白なように）。よって、添付の請求の範囲は、最も広義な解釈が与えられ、全てのこのような変更及び同様の配置を含むべきである。
【符号の説明】
【００２２】
１０  雄部材
１１  ピン
１２  ストリップ
２０  雌部材
２１  フランジ
２２  ストッパー
２３  第１のリブ
２４  第２のリブ
２５  陥凹
３０  管形ランプ
１００  本体
１１０  湾曲斜面
１１１  湾曲面
２１１  突出部
２１２  陥凹部
Ｃ  中心軸
Ｐ  電極
Ｒ  接続機構
Ｓ１  第１側
Ｓ２  第２側
θ  鋭角
【図１】
0005465798.tif 000002
【図２Ａ】
0005465798.tif 000003
【図２Ｂ】
0005465798.tif 000004
【図３Ａ】
0005465798.tif 000005
【図３Ｂ】
0005465798.tif 000006
【図４】
0005465798.tif 000007
【図５】
0005465798.tif 000008
【図６】
0005465798.tif 000009
【図７】
0005465798.tif 000010